(57)【特許請求の範囲】
【請求項１】
着信を検出して着信音を出力する着信音発生手段と、
入力音声を音声信号に変換して送信する音声入力送信手段と、
受信した音声信号を音声に変換して出力する受信音声出力手段と、
着信に対する音声応答を検出する着信応答検出手段と、
上記着信応答の検出によりオフフックを行う制御手段とを有する電話機において、
上記音声入力送信手段で得られる着信音及び着信応答を含む音声信号から着信音成分を除去して上記着信応答検出手段に供給する着信音除去手段と、
前記着信応答検出手段で検出された音声応答を一時記憶し、オフフック後に上記音声応答を読み出して前記音声入力送信手段より送信する着信応答出力手段を有することを特徴とする電話機。
【発明の詳細な説明】
【０００１】
【発明の属する技術分野】
本発明は電話機に関し、特にハンズフリー機能を持つ電話機に関する。
【０００２】
【従来の技術】
図８は受話器を手に持たずに通話が可能なハンズフリー機能を持つ電話機のブロック図を示す。同図中、着信検出部１１は電話回線１０より着信があると、これを検出する。着信告知部１２は着信検出部１１の検出信号を供給されると着信音の音声信号を生成し、着信音の音声信号が着信音出力部１３に供給され着信音が音声として出力される。
【０００３】
利用者は受話器を持ち上げるか、又は着信ボタンを押してオフフックすると、制御部１４がこれを検出し通話状態となる。これにより音声入力部１５で入力された音声信号は音声送信部１６より電話回線１０に送出され、電話回線１０を伝送された音声信号が音声受信部１７で受信され、音声出力部１８から音声として出力される。これと同時に着信告知部１２の動作は停止させられる。
【０００４】
図９は音声応答機能を持つ従来のハンズフリー電話機のブロック図を示す。同図中、図８と同一部分には同一符号を付し、その説明を省略する。図９において、着信音に対し、「はい」等の音声応答を行うと、この音声入力部１５から着信応答検出部１９へ供給されて検出される。この検出信号を供給された制御部１４はオフフックして、音声送信部１６及び音声受信部１７を電話回線１０と接続する。
【０００５】
【発明が解決しようとする課題】
ハンズフリー電話機では両手が塞がっている場合などに非常に便利である。しかし、せっかくのハンズフリー機能を持っていても着信時に着信ボタンを押す等のオフフック動作が必要な図８に示す電話機ではその便利さも半減してしまう。
【０００６】
図９に示す電話機のように音声の着信応答を検出してオフフックを行うものでは、着信音が出力されてないときに音声応答を行わなければならない。着信音は図１０に示す如く、３秒周期で１秒間出力される。このため、利用者は、着信音と着信音の間の着信応答可能期間のタイミングをはかって音声応答を行わなければならず、使い勝手が悪いという問題があった。
【０００７】
本発明は上記の点に鑑みなされたもので、着信音の出力時にも音声による着信応答が可能で着信応答を精度良く検出してオフフックを行う電話機を提供することを目的とする。
【０００８】
【課題を解決するための手段】
請求項１に記載の発明は、着信を検出して着信音を出力する着信音発生手段と、
入力音声を音声信号に変換して送信する音声入力送信手段と、
受信した音声信号を音声に変換して出力する受信音声出力手段と、
着信に対する音声応答を検出する着信応答検出手段と、
上記着信応答の検出によりオフフックを行う制御手段とを有する電話機において、
上記音声入力送信手段で得られる着信音及び着信応答を含む音声信号から着信音成分を除去して上記着信応答検出手段に供給する着信音除去手段と、
前記着信応答検出手段で検出された音声応答を一時記憶し、オフフック後に上記音声応答を読み出して前記音声入力送信手段より送信する着信応答出力手段を有する。
【０００９】
このため、着信応答検出を行う音声信号には着信音成分が含まれておらず、着信音の発生タイミングで行った着信に対する音声応答も検出することができ、ハンズフリーでタイミングを考えることなく音声応答を行うことができ、着信応答の内容をオフフック後に送信することで、使い勝手が向上し、自然な利用が可能となる。
【００１４】
【発明の実施の形態】
図１は本発明の電話機の第１参考例のブロック図を示す。同図中、着信検出部２１は電話回線２０より着信があると、これを検出する。着信告知部２２は着信検出部２１の検出信号を供給されると着信音の音声信号を生成し、着信音の音声信号が着信音出力部（スピーカ）２３に供給され着信音が音声として出力される。
【００１５】
利用者は受話器を持ち上げるか、又は着信ボタンを押してオフフックすると、制御部（制御手段）２４がこれを検出し通話状態となる。これにより音声入力部（マイクロホン）２５で入力された音声信号は音声送信部２６より電話回線２０に送出され、電話回線２０を伝送された音声信号が音声受信部２７で受信され、音声出力部２８から音声として出力される。これと同時に着信告知部２２の動作は停止させられる。
【００１６】
上記の着信検出部２１、着信告知部２２、着信音出力部２３が着信音発生手段に対応し、音声入力部２５、音声送信部２６が音声入力送信手段に対応する。
ところで、着信音告知部２２の出力する着信音の音声信号と、音声入力部２５の出力する音声信号は着信音除去部（着信音除去手段）３０に供給される。着信音除去部３０は図２に示す構成である。
【００１７】
図２において、端子３１より入来する着信音告知部２２よりの着信音の音声信号はＦＩＲ（有限インパルス応答）フィルタ３３を通して減算器３４に供給される。また、端子３２に入来する音声入力部２５よりの音声信号は直接、減算器３４に供給される。
【００１８】
ＦＩＲフィルタ３３は着信音の音声信号が着信音出力部２３から着信音として出力され音声入力部２５に回り込んで音声信号に変換されるまでを近似した伝達関数が設定されている。このため、減算器３４では音声入力部２５の出力する音声信号から着信音の成分を減算して除去し端子３５から出力し、この音声信号は着信応答検出部２９に供給される。
【００１９】
着信応答検出部（着信応答検出手段）２９は着信音除去部３０の出力する音声信号から着信音に対し、「はい」等の音声応答を検出し、検出時に検出信号を生成して制御部２４に供給する。制御部２４は着信時に着信応答検出部２９から検出信号が供給されると、オフフックして音声送信部２６及び音声受信部２７を電話回線１０と接続する。
【００２０】
ここで、着信音出力部２３から図３（Ａ）に示す着信音が出力され、これに対して図３（Ｂ）に示す如く着信音と重なるタイミングで音声による着信応答がなされた場合、音声入力部２５の出力する音声信号は図３（Ｃ）に示す如くなる。着信音除去部３０は図３（Ｃ）の音声信号から図３（Ａ）に示す着信音を除去して図３（Ｄ）に示す着信応答の音声信号を得る。この図３（Ｄ）の音声信号から着信応答を検出してオフフックがなされるため、利用者は着信音の出力タイミングに拘りなく音声による着信応答を行うことができる。
【００２１】
図４は本発明の電話機の第２参考例のブロック図を示す。同図中、図１と同一部分には同一符号を付す。図４において、着信検出部２１は電話回線２０より着信があると、これを検出する。着信告知部２２は着信検出部２１の検出信号を供給されると着信音の音声信号を生成し、着信音の音声信号が着信音出力部（スピーカ）２３に供給され着信音が音声として出力される。
【００２２】
利用者は受話器を持ち上げるか、又は着信ボタンを押してオフフックすると、制御部（制御手段）２４がこれを検出し通話状態となる。これにより音声入力部（マイクロホン）２５で入力された音声信号は音声送信部２６より電話回線２０に送出され、電話回線２０を伝送された音声信号が音声受信部２７で受信され、音声出力部２８から音声として出力される。これと同時に着信告知部２２の動作は停止させられる。
【００２３】
ところで、音声音告知部２２の出力する着信音の音声信号と、音声入力部２５の出力する音声信号は着信音除去部３０に供給される。着信音除去部３０は音声入力部２５の出力する音声信号から着信音の成分を減算して除去し着信応答検出部３９に供給する。
【００２４】
着信応答検出部３９は着信音除去部３０の出力する音声信号から着信音に対し、「はい」等の音声応答を検出し、検出時には検出信号を生成し着信音中断制御部４０に供給すると共に、上記検出信号の継続時間が所定値を超えたときに、この検出信号を制御部２４に供給する。制御部２４は着信時に着信応答検出部２９から検出信号が供給されると、オフフックして音声送信部２６及び音声受信部２７を電話回線２０と接続する。
【００２５】
着信音中断制御部（着信音中断制御手段）４０は、着信応答の検出信号を供給されている期間又はこの期間及びそれに続く所定期間（例えば１秒）だけ着信告知部２２の着信音の音声信号が出力を中断させる。これによって着信応答検出部３９に供給される音声信号は完全に応答音声だけとなり着信応答の検出精度が向上する。
【００２６】
また、検出信号の継続時間が短かければ着信告知部２２は再び着信音の音声信号を出力するため、異常等のノイズを応答音声として誤検出することを防止できる。
ここで、着信検出によって着信告知部２２が、本来、図５（Ａ）に示す如き着信音が出力される場合において、図５（Ｂ）に示す短かい着信応答ａｃｋ１によって実際の着信音は図５（Ｃ）に示す如く、最初の着信音ＲＴ１は中断される。着信応答ａｃｋ１が短かいため、次の着信音ＲＴ２は出力されるが、次の着信応答ａｃｋ２が所定時間以上継続すると着信音ＲＴ３は出力されず、オフフックが行われる。
【００２７】
図６は本発明の電話機の第３参考例のブロック図を示す。同図中、図４と同一部分には同一符号を付す。図４において、着信検出部２１は電話回線２０より着信があると、これを検出する。着信告知部２２は着信検出部２１の検出信号を供給されると着信音の音声信号を生成し、着信音の音声信号が着信音出力部（スピーカ）２３に供給され着信音が音声として出力される。
【００２８】
利用者は受話器を持ち上げるか、又は着信ボタンを押してオフフックすると、制御部（制御手段）２４がこれを検出し通話状態となる。これにより音声入力部（マイクロホン）２５で入力された音声信号は音声送信部２６より電話回線２０に送出され、電話回線２０を伝送された音声信号が音声受信部２７で受信され、音声出力部２８から音声として出力される。これと同時に着信告知部２２の動作は停止させられる。
【００２９】
ところで、音声音告知部２２の出力する着信音の音声信号と、音声入力部２５の出力する音声信号は着信音除去部３０に供給される。着信音除去部３０は音声入力部２５の出力する音声信号から着信音の成分を減算して除去し着信応答検出部４９に供給する。
【００３０】
着信応答検出部４９は着信音除去部３０の出力する音声信号から着信音に対し、「はい」等の音声応答を検出し、検出時には検出信号を生成し着信音中断制御部４０に供給する。これと共に、検出信号生成時には音声応答の音声信号を着信応答照合部５０に供給する。
【００３１】
着信音中断制御部４０は、着信応答の検出信号を供給されている期間又はこの期間及びそれに続く所定期間（例えば１秒）だけ着信告知部２２の着信音の音声信号が出力を中断させる。これによって着信応答検出部３９に供給される音声信号は完全に応答音声だけとなり着信応答の検出精度が向上する。
【００３２】
着信応答照合部（着信応答照合手段）５０は、着信応答検出部４９から供給される音声信号を着信応答パターン記憶部４４に予め記憶されている着信応答パターンの音声信号と比較して、一致する着信応答パターンの音声信号があれば着信応答検出信号を生成して制御部２４に供給する。制御部２４は着信時に着信応答検出部４９から着信応答検出信号が供給されると、オフフックして音声送信部２６及び音声受信部２７を電話回線２０と接続する。
【００３３】
このように、着信応答の音声信号を予め記憶されている着信応答パターンと比較して一致した場合にのみオフフックを行うため、例えば入浴中等の電話を取れない場合に、受信中のテレビジョンの音声を着信応答と誤ってオフフックする等の誤動作を防止できる。
【００３４】
図７は本発明の電話機の一実施例のブロック図を示す。同図中、図６と同一部分には同一符号を付す。図４において、着信検出部２１は電話回線２０より着信があると、これを検出する。着信告知部２２は着信検出部２１の検出信号を供給されると着信音の音声信号を生成し、着信音の音声信号が着信音出力部（スピーカ）２３に供給され着信音が音声として出力される。
【００３５】
利用者は受話器を持ち上げるか、又は着信ボタンを押してオフフックすると、制御部（制御手段）２４がこれを検出し通話状態となる。これにより音声入力部（マイクロホン）２５で入力された音声信号は音声送信部２６より電話回線２０に送出され、電話回線２０を伝送された音声信号が音声受信部２７で受信され、音声出力部２８から音声として出力される。これと同時に着信告知部２２の動作は停止させられる。
【００３６】
ところで、音声音告知部２２の出力する着信音の音声信号と、音声入力部２５の出力する音声信号は着信音除去部３０に供給される。着信音除去部３０は音声入力部２５の出力する音声信号から着信音の成分を減算して除去し着信応答検出部４９に供給する。
【００３７】
着信応答検出部４９は着信音除去部３０の出力する音声信号から着信音に対し、「はい」等の音声応答を検出し、検出時には検出信号を生成し着信音中断制御部４０に供給する。これと共に、検出信号生成時には音声応答の音声信号を着信応答照合部５０及び着信応答一時記憶部５１に供給する。
【００３８】
着信音中断制御部４０は、着信応答の検出信号を供給されている期間又はこの期間及びそれに続く所定期間（例えば１秒）だけ着信告知部２２の着信音の音声信号が出力を中断させる。これによって着信応答検出部３９に供給される音声信号は完全に応答音声だけとなり着信応答の検出精度が向上する。
【００３９】
着信応答照合部（着信応答照合手段）５０は、着信応答検出部４９から供給される音声信号を着信応答パターン記憶部４４に予め記憶されている着信応答パターンの音声信号と比較して、一致する着信応答パターンの音声信号があれば着信応答検出信号を生成して制御部２４に供給する。制御部２４は着信時に着信応答検出部４９から着信応答検出信号が供給されると、オフフックして音声送信部２６及び音声受信部２７を電話回線２０と接続する。
【００４０】
着信応答一時記憶部５１は着信応答検出部４９から供給される音声応答の音声信号を一時的に記憶する。また、制御部２４は着信応答検出信号を供給されてオフフックすると同時に着信応答出力部５２を起動する。これにより着信応答出力部５２は着信応答一時記憶部５１に記憶されている音声応答の音声信号を読み出して音声送信部２６に供給し、音声応答が電話回線２０に送信される。上記の着信応答一時記憶部５１及び着信応答出力部５２が着信応答出力手段に対応する。
【００４１】
つまり、着信音に対して「もしもし」と応答すると、この内容をそのまま「もしもし」と送信する。これにより利用者はオフフックのための「もしもし」とオフフック後の「もしもし」と２回発声する必要がなく、より自然な利用が可能となる。
【００４２】
【発明の効果】
上述の如く、請求項１に記載の発明によれば、着信応答検出を行う音声信号には着信音成分が含まれておらず、着信音の発生タイミングで行った着信に対する音声応答も検出することができ、ハンズフリーでタイミングを考えることなく音声応答を行うことができ、着信応答の内容をオフフック後に送信することで、使い勝手が向上し、自然な利用が可能となる。
【図面の簡単な説明】
【図１】本発明の電話機のブロック図である。
【図２】着信音除去部のブロック図である。
【図３】図１の回路動作を説明するための信号タイミングチャートである。
【図４】本発明の電話機のブロック図である。
【図５】図４の回路動作を説明するための信号タイミングチャートである。
【図６】本発明の電話機のブロック図である。
【図７】本発明の電話機のブロック図である。
【図８】従来の電話機のブロック図である。
【図９】従来の電話機のブロック図である。
【図１０】着信音の出力タイミングを説明するための図である。
【符号の説明】
２０  電話回線
２１  着信検出部
２２  着信告知部
２３  着信音出力部
２４  制御部
２５  音声入力部
２６，２８  音声出力部
２７  音声受信部
２９，３９，４９  着信応答検出部
４４  着信応答検出部
５０  着信応答照合部
５１  着信応答一時記憶部
５２  着信応答出力部
【図１】
0003727702.tif 000002
【図２】
0003727702.tif 000003
【図３】
0003727702.tif 000004
【図４】
0003727702.tif 000005
【図５】
0003727702.tif 000006
【図６】
0003727702.tif 000007
【図７】
0003727702.tif 000008
【図８】
0003727702.tif 000009
【図９】
0003727702.tif 000010
【図１０】
0003727702.tif 000011